Podtech/llm-jp-corpus-v4-ja_patent huggingface dataset:
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
ミラーシステムであって、
対象の波長範囲および対象のミクロ層の角度範囲にわたって実質的に光を反射するために選択された屈折率および厚さを有する複数のミクロ層と、
前記ミクロ層と結合し、そして大気の屈折率より大きいが前記ミクロ層の屈折率より小さい屈折率を有する光学的に厚い層と、
前記光学的に厚い層および前記ミクロ層中に超臨界的な伝播角度で光を注入するための手段と、を備え、
前記光学的に厚い層は、前記対象のミクロ層の角度範囲に前記対象の波長範囲内の前記注入された光を制限するか、または前記対象の波長範囲内かつ前記対象のミクロ層の角度範囲外の前記注入された光を、前記光学的に厚い層の組み込まれた境界面で完全に内部に反射させる、ミラーシステム。
【請求項２】
屈折率および厚さが、対象の波長範囲および対象のミクロ層の角度範囲にわたって光を反射する複数のミクロ層と、前記ミクロ層と結合し、そして大気の屈折率より大きいが前記ミクロ層の屈折率より小さい屈折率を有する光学的に厚い層と、前記光学的に厚い層内の、または前記光学的に厚い層と結合する１つ以上の拡散要素と、を備え、ミラーの裏側領域で反射率が局部的に低下するにも関わらず、人間の観察者に可視光が均一に反射するように見えるように、前記ミクロ層の反射バンドが、近赤外にまで充分及ぶ、ミラーシステム。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
少なくとも１つのポリマー材料を含むフィルムを提供する工程と、
フィルムにもたらされる複屈折がたとえあるとしても低くなるように、クロスウェブ（ＴＤ）方向に沿って第１引伸ばし工程で一連の第１加工条件下前記フィルムを拡幅する工程と、
一連の第２加工条件下ダウンウェブ（ＭＤ）方向に沿って第２引伸ばし工程で前記フィルムを引伸ばす工程であって、前記一連の第２加工条件が、前記ポリマー材料に面内複屈折及び前記ＭＤに沿って有効配向軸をもたらす工程とを含む光学フィルムを作製する方法。
【請求項２】
少なくとも第１ポリマー材料及び第２ポリマー材料を備えるフィルムを提供する工程と、
クロスウェブ（ＴＤ）方向に沿って低複屈折を前記第１及び第２ポリマー材料にもたらすように、一連の第１加工条件下前記ＴＤ方向に沿って第１引伸ばし工程で前記フィルムを引伸ばし、前記フィルムを拡幅する工程と、
一連の第２加工条件下ダウンウェブ（ＭＤ）方向に沿って第２引伸ばし工程で前記フィルムを引伸ばし、前記第１及び第２ポリマー材料の少なくとも１つに面内複屈折及び前記ＭＤに沿って有効配向軸をもたらす工程とを含む光学フィルムを作製する方法。
【請求項３】
少なくとも第１ポリマー材料及び第２ポリマー材料を備える第１フィルムを提供する工程と、
クロスウェブ（ＴＤ）方向に沿って低面内複屈折を前記第１及び第２ポリマー材料にもたらすように、一連の第１加工条件下前記ＴＤ方向に沿って第１引伸ばし工程で前記第１フィルムを引伸ばし、前記第１フィルムを拡幅する工程と、
一連の第２加工条件下ダウンウェブ（ＭＤ）方向に沿って第２引伸ばし工程で前記第１フィルムを引伸ばし、前記第１及び第２ポリマー材料の少なくとも１つに面内複屈折をもたらす工程と、
第２フィルムを前記第１光学フィルムに取り付ける工程とを含む光学フィルムを作製する方法。
【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
光入射面及び光出射面を含み、かつ前記光出射面上に少なくとも２５マイクロメートルの長さ、直径又は他の主要寸法を有する凸状のマクロ構造を担持するポリマー膜を含む光方向転換光学装置であって、前記マクロ構造の表面の大部分が、光の進行方向に垂直な面に１２００ｎｍ未満の平均最大コード長を有するナノノジュールで覆われている光方向転換光学装置。
【請求項２】
前記ナノノジュールが、４００〜１２００ｎｍの平均直径寸法を有する請求項１記載の装置。
【請求項３】
前記ナノノジュールが、６００〜１０００ｎｍの平均直径寸法を有する請求項１記載の装置。
【請求項４】
前記マクロ構造が、０．５〜５．０の高さと幅のアスペクト比を有する請求項１記載の装置。
【請求項５】
前記光学膜の光学利得が、１．１５〜１．３０である請求項１記載の装置。
【請求項６】
前記ナノノジュールが、前記マクロ構造と一体であり、かつ前記マクロ構造の表面積の４０〜６０％を覆っている請求項１記載の装置。
【請求項７】
前記ナノノジュールが、前記マクロ構造の表面全体にわたってランダムに分布し、かつ前記ナノノジュールの直径が、少なくとも５％だけ重なり合っている請求項１記載の装置。
【請求項８】
前記ナノノジュールが、前記マクロ構造の表面の９５％より大きい部分を覆っている請求項１記載の装置。
【請求項９】
前記ナノノジュールが、前記マクロ構造の表面の６５〜８５％を覆っている請求項１記載の装置。
【請求項１０】
光出射面上に凸状又は凹状のマクロ構造を担持する膜を含む光学膜であって、前記マクロ構造が、少なくとも２５マイクロメートルの長さ、直径又は他の主要寸法を有し、前記マクロ構造の表面が、表面粗さなしで、同一のマクロ構造の配置と比較して、少なくとも２５％の軸上光学利得の低下をもたらすほど低いＲａ値を示す光学膜。
【手続補正書】
【提出日】平成22年3月25日(2010.3.25)
【手続補正１】
【補正対象書類名】特許請求の範囲
【補正対象項目名】請求項９
【補正方法】変更
【補正の内容】
【請求項９】
請求項１において、前記第２透明放射線硬化ポリマー層の厚さが、約０．０００４ないし約０．０００９インチ（約０．０１ないし約０．０２３ミリメートル）である順応型再帰反射構造体。
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
発光エレメントのアレイを使用してビデオピクチャをディスプレイする方法であって、
あるパターンを示すいくつかのピクセルについて、少なくとも２つのビデオサブピクチャが異なるように表示するために、少なくとも１つのビデオピクチャから少なくとも２つのビデオサブピクチャを生成して表示することと、
前記パターンの色又は明るさを調整するために、少なくとも２つのビデオサブピクチャを使用することであって、前記ビデオピクチャのピクセルのビデオデータは第１のレートで受信され、前記ビデオサブピクチャのピクセルのビデオデータは第２のレートで出力され、前記第２のレートは、前記第１のレートの倍数である、使用することと、
前記生成されたビデオサブピクチャのピクセルの調整されたビデオデータをサブフィールドデータにサブフィールドコーディングすることであって、前記サブフィールドデータが第２のレートで伝えられる、サブフィールドコーディングすることと、
第３のレートで前記サブフィールドデータを前記アレイにアドレスすることとを含むことを特徴とする方法。
【請求項２】
前記パターンのピクセルの色または明るさを調整することは、少なくとも２つのビデオサブピクチャに亘るパターンの中間の色または明るさが、パターンがないときに前記少なくとも１つのピクチャ内に表示される色又は明るさに一致するように、表示される値の近傍において実行されることを特徴とする請求項１に記載の方法。
【請求項３】
前記調整することの調整レートは前記第３のレートの半分であることを特徴とする請求項２に記載の方法。
【請求項４】
前記調整することが人間の目では視認できないが、表示されたビデオピクチャがビデオキャプチャリング装置によってキャプチャされたときにアーチファクトを生じるように、前記第３のレートが選択されることを特徴とする請求項２または３に記載の方法。
【請求項５】
前記第３のレートは、前記第１のレートの倍数でないことを特徴とする請求項１から４のいずれかに記載の方法。
【請求項６】
第３のレートは、ビデオピクチャを表示している間に動的に変化することを特徴とする請求項１から５のいずれかに記載の方法。
【請求項７】
前記発光エレメントはマイクロミラーバルブであることを特徴とする請求項１から６のいずれかに記載の方法。
【請求項８】
ビデオピクチャを表示するための発光エレメントのアレイを備えたディスプレイ装置であって、
あるパターンを示すいくつかのピクセルについて、少なくとも２つのビデオサブピクチャが異なるように表示するために、少なくとも１つのビデオピクチャから少なくとも２つのビデオサブピクチャを生成して表示する手段と、
生成されたビデオサブピクチャのピクセルの前記調整されたビデオデータをサブフィールドデータにコーディングするサブフィールドコーディング手段であって、前記サブフィールドデータは第２のレートで伝えられる、サブフィールドコーディング手段と、
第３のレートで前記サブフィールドデータをアレイにアドレスする手段とを備えることを特徴とする装置。
【請求項９】
前記調整手段は、少なくとも２つのビデオサブピクチャに亘るパターンの中間の色または明るさが、パターンがないときに前記少なくとも１つのピクチャ内に表示される色又は明るさに一致するように、表示される値の近傍において前記パターンのピクセルの色または明るさを調整することを特徴する請求項８に記載の装置。
【請求項１０】
前記調整のレートは、第３のレートの半分であることを特徴とする請求項９に記載の装置。
【請求項１１】
前記第３のレートは、前記調整が人間の目では視認できないが、表示されたビデオピクチャがビデオキャプチャリング装置によってキャプチャされたときにアーチファクトを生じるように選択されることを特徴とする請求項９または１０に記載の装置。
【請求項１２】
前記発光エレメントは、マイクロミラーバルブであることを特徴とする請求項８から１１のいずれかに記載の装置。
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
ポリマーマトリックス内に埋め込まれている無機繊維を含み、第１構造化表面を有する第１層を含む光学フィルムであって、前記第１層が前記第１層を通って伝播する光に対して少なくとも１０％の輝度ゲインを提供する、光学フィルム。
【請求項２】
ポリマーマトリックス内に埋め込まれた無機繊維を含み、第１構造化表面を有する第１層を含む光学フィルムであって、前記第１構造化表面から離れて向かい合う前記第１層の面に略垂直に入射する光についてのシングルパス透過率が、４０％未満である、光学フィルム。
【請求項３】
ディスプレイ装置と、
バックライトと、
前記ディスプレイ装置と前記バックライトとの間に配置された請求項１に記載の光学フィルムと、を含むディスプレイシステム。
【手続補正書】
【提出日】平成22年2月3日(2010.2.3)
【手続補正１】
【補正対象書類名】明細書
【補正対象項目名】００８８
【補正方法】変更
【補正の内容】
【００８８】
図４ｈは、キャリア基質４９に適用され、接着層４８によりキャリア基質４９に固定された、硬化したフォトポリマー層４６ｅを示す。接着層４８は、熱溶解接着剤であり得る。接着処理により変形される体積ホログラムのブラッグ面は、せいぜい部分的に読み出され得るため、開発したフォトポリマー層４６ｅにおいては、接着処理に伴う収縮作用は、フォトポリマー層４６ｅに記憶された体積ホログラムの偽造に対する防護対策のレベルをより増加させる。
【手続補正２】
【補正対象書類名】明細書
【補正対象項目名】００９１
【補正方法】変更
【補正の内容】
【００９１】
レリーフ構造５０ａおよび５０ｂを有する複製層５４の頂上側に、上述した実施形態（図３ｂおよび４ｂ参照）における金属層と同様の金属層５４ｍが適用される。
【手続補正３】
【補正対象書類名】明細書
【補正対象項目名】００９７
【補正方法】変更
【補正の内容】
【００９７】
図６ａは、本発明に従う多層体の第四の実施形態の製造用の製造装置６０を示す。製造装置６０は、roll-to-rollプロセスと呼ばれる製造装置である。複製シリンダー６１は、表面レリーフマスター６１ｍにより外側がコーティングされている。図６ａの実施形態では、複製シリンダー６１は、直径２００ｍｍであり、５ｍ／ｍｉｎの周辺速度で回転する。４０ｍ／ｍｉｎまでの最大周辺速度が与えられ得る。
【手続補正４】
【補正対象書類名】明細書
【補正対象項目名】０１０７
【補正方法】変更
【補正の内容】
【０１０７】
図７ｄは、キャリアフィルムが剥離され、接着層６９によりキャリア基質７１に適用されたフォトポリマー層６６を示す。キャリア基質７１は、例えば、紙幣、または身分証明書、すなわち、秘匿書類であり、偽造に対する保護対策レベルが、フォトポリマー層６６に形成された体積ホログラムにより顕著に改良されている。
【手続補正５】
【補正対象書類名】図面
【補正対象項目名】図７ｃ
【補正方法】変更
【補正の内容】
【図７ｃ】
2009532726.tif 000001
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
サンプルに対して診断テストを実施する診断測定器であって、
前記サンプルの診断テストを実施するためにテストストリップを受容するように構成されたテストメディアインタフェースと、
診断テスト結果を処理するプロセッサと、
前記診断テスト結果をパートナー装置に転送するように構成されたデータ通信インタフェースと、
前記診断テスト結果を格納するように構成されたメモリ装置と、
を含んで構成される診断測定器。
【請求項２】
前記診断テスト結果を表示するように構成されたディスプレイ装置をさらに含んで構成される請求項１記載の診断測定器。
【請求項３】
前記メモリ装置は、前記パートナー装置との接続のために１以上の通信プロトコルを格納するようにさらに構成される請求項１記載の診断測定器。
【請求項４】
前記データ通信インタフェースは、ＵＳＢデータコネクタを含んで構成される請求項１記載の診断測定器。
【請求項５】
前記パートナー装置は、前記ＵＳＢデータコネクタと接続するデータポートを含んで構成される請求項４記載の診断測定器。
【請求項６】
前記メモリ装置は、フラッシュメモリチップを含んで構成される請求項１記載の診断測定器。
【請求項７】
前記診断測定器に電力を供給する再充電可能な電池装置をさらに含んで構成される請求項１記載の診断測定器。
【請求項８】
前記電池装置は、前記診断測定器を前記パートナー装置に接続することにより前記データ通信インタフェースを通じて再充電される請求項７記載の診断測定器。
【請求項９】
前記メモリ装置は、前記診断テスト結果を処理するための命令を格納するようにさらに構成される請求項１記載の診断測定器。
【請求項１０】
前記パートナー装置は、コンピュータ、ＰＤＡ、携帯電話、及びデジタルメディアプレーヤーから成るグループから選択される請求項１記載の診断測定器。
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
動的部材と、
前記動的部材から絶縁性軸受けにより隔てられた静止部材と、
前記動的部材への接続を判定するために、前記動的部材と前記静止部材との間の寄生静電容量を測定する回路と、を含む物体。
【請求項２】
絶縁性軸受けにより隔てられた動的部材と静止部材とを有する物体のアースを監視する装置であって、
動的部材と静止部材との間の寄生静電容量を測定する回路と、
前記動的部材への接続を示す回路と、を含む、装置。
【請求項３】
絶縁性軸受けにより隔てられた動的部材と静止部材とを有する物体のアースを監視するための方法であって、
前記動的部材と前記静止部材との間の寄生静電容量を測定する工程と、
前記測定された寄生静電容量に基づいて、前記動的部材へのアース接続を判定する工程と、を含む、方法。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
クロストリジウム属の種に対する免疫応答を誘導する免疫原性組成物の免疫有効用量を孵卵の最終クォーターの間に卵内投与することを含み、ここでその免疫原性組成物はクロストリジウムパーフリンジェンスαトキシンを含み、そしてその組成物を卵内注入によって胚体に直接投与する、クロストリジウム感染症に対して鳥類の対象を免疫する方法。
【請求項２】
鳥類の対象がニワトリである、請求項１に記載の方法。
【請求項３】
免疫原性組成物を孵卵の１５日から２０日の時点で投与する、請求項２に記載の方法。
【請求項４】
免疫原性組成物を孵卵の１８日又は１９日に投与する、請求項３に記載の方法。
【請求項５】
鳥類の対象がシチメンチョウである、請求項１に記載の方法。
【請求項６】
免疫原性組成物が水中油中水型乳剤を含む、請求項１に記載の方法。
【請求項７】
免疫原性組成物がアジュバントを含む、請求項１に記載の方法。
【請求項８】
アジュバントがアルミニウム由来アジュバント、サポニン、オイル及びそれらの任意の組合せを含む、請求項７に記載の方法。
【請求項９】
孵卵の間の任意の時点で免疫刺激剤を卵内投与することを更に含む、請求項１に記載の方法。
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
ａ）２−アルコキシアデノシン又は２−アラルコキシアデノシンの有効量；
ｂ）約１０〜約７０質量％のグリコール；及び
ｃ）増粘剤
を含有してなる、医薬組成物。
【請求項２】
医薬組成物が、創傷の治癒を促進するためのものである請求項１に記載の医薬組成物。
【請求項３】
医薬組成物は、局所的に投与されるものである請求項１又は２に記載の医薬組成物。
【請求項４】
創傷が、慢性の創傷である、請求項２又は３に記載の医薬組成物。
【請求項５】
慢性の創傷が、糖尿病性足部潰瘍である、請求項４に記載の医薬組成物。
【請求項６】
患者の創傷に投与したときに２−アルコキシアデノシン又は２−アラルコキシアデノシンが全身的に吸収されない、請求項３〜５のいずれかに記載の医薬組成物。
【請求項７】
患者の創傷に投与したときに２−アルコキシアデノシン又は２−アラルコキシアデノシンが最小限で全身的に吸収される、請求項３〜５のいずれかに記載の医薬組成物。
【請求項８】
患者の創傷に投与したときに全身的に吸収されていないことを、患者の血漿レベル中の２−アルコキシアデノシン又は２−アラルコキシアデノシンのレベルを測定して行う、請求項６又は７に記載の医薬組成物。
【請求項９】
２−アルコキシアデノシン又は２−アラルコキシアデノシンが、２−アラルコキシアデノシンである、請求項１〜８のいずれかに記載の医薬組成物。
【請求項１０】
２−アルコキシアデノシン又は２−アラルコキシアデノシンが、２−［２−（４−クロロフェニル）エトキシ］アデノシンである、請求項１〜９のいずれかに記載の医薬組成物。
【請求項１１】
２−［２−（４−クロロフェニル）エトキシ］アデノシンの量が、組成物の約０．００００１〜約０．１０質量％である、請求項１０に記載の医薬組成物。
【請求項１２】
グリコールが、Ｃ１〜Ｃ９のジオール又はこのジオールのポリマーである請求項１〜１１のいずれかに記載の医薬組成物。
【請求項１３】
グリコールが、プロピレングリコールである請求項１〜１２のいずれかに記載の医薬組成物。
【請求項１４】
グリコールが、組成物の４０〜６０％（質量）である請求項１〜１３のいずれかに記載の医薬組成物。
【請求項１５】
増粘剤が、セルロースである請求項１〜１４のいずれかに記載の医薬組成物。
【請求項１６】
セルロースが、カルボキシメチルセルロースナトリウムである請求項１５に記載の医薬組成物。
【請求項１７】
更に等張剤を含有してなる、請求項１〜１６のいずれかに記載の医薬組成物。
【請求項１８】
等張剤が、塩を含有してなる請求項１７に記載の医薬組成物。
【請求項１９】
塩が、塩化ナトリウムである請求項１８に記載の医薬組成物。
【請求項２０】
更に水を含有してなる、請求項１〜１９のいずれかに記載の医薬組成物。
【請求項２１】
水が、組成物の約３０％〜９０％（質量）である請求項２０に記載の医薬組成物。
【請求項２２】
更に緩衝系を含有してなる、請求項１〜２１のいずれかに記載の医薬組成物。
【請求項２３】
組成物のｐＨが、４．５〜１１．０である請求項１〜２２のいずれかに記載の医薬組成物。
【請求項２４】
追加の保存剤が存在していない、請求項１〜２３のいずれかに記載の医薬組成物。
【請求項２５】
０．０００５質量％から０．０５質量％の２−［２−（４−クロロフェニル）エトキシ］アデノシ、４０から６０質量％のプロピレングリコール、カルボキシメチルセルロースナトリウム、酢酸ナトリウム（三水和物）、氷酢酸、塩化ナトリウム及び精製水を含有してなる、局所的に投与されるための医薬組成物。
【請求項２６】
医薬組成物が、最大１２ヶ月から３６ヶ月にわたって自己保存性である、請求項１〜２５のいずれかに記載の医薬組成物。
【請求項２７】
医薬組成物が、最大１２ヶ月から３６ヶ月にわたって抗菌的に有効である、請求項１〜２６のいずれかに記載の医薬組成物。
【請求項２８】
ａ）活性薬剤を賦形剤と混ぜ合わせて溶液を製造する、そして
ｂ）工程ａ）の溶液を増粘剤と混合して、
局所医薬組成物を製造することを含んでなる、請求項１〜２７のいずれかに記載の医薬組成物を製造する方法。
【請求項２９】
工程ｂ）の製造物に、さらに水、等張剤、及び／又は緩衝系を添加することを更に含んでなる、請求項２８に記載の方法。
【請求項３０】
創傷の治癒を促進するのに有効な量で請求項１〜２７のいずれかに記載の医薬組成物を含有してなる、創傷治癒促進用キット。
【請求項３１】
包帯、創傷保護剤、発泡剤、スポンジ、パッド、ガーゼ、コラーゲン、フィルム包帯、ドレープ又はペーストを更に含んでいる、請求項３０に記載のキット。
【請求項３２】
医薬組成物が、包帯、創傷保護剤、発泡剤、スポンジ、パッド、ガーゼ、コラーゲン、フィルム包帯、ドレープ又はペーストに含浸されている請求項３０又は３１に記載のキット。
【手続補正書】
【提出日】平成22年3月18日(2010.3.18)
【手続補正１】
【補正対象書類名】明細書
【補正対象項目名】００３２
【補正方法】変更
【補正の内容】
【００３２】
本発明の化合物は、医薬組成物として、何れかの慣用の経路によって、特に経腸で、例えば経口で、例えば錠剤またはカプセル剤で、あるいは非経腸で、例えば注射用溶液または懸濁液で、局所に、例えば外用水薬、ゲル、軟膏またはクリーム、または鼻用剤または坐剤の形態で、投与され得る。薬学的に許容される担体または希釈剤と組み合わせた、遊離形または薬学的許容される塩形の本発明の化合物を含む医薬組成物は、慣用の方法で、混合、造粒または被覆法によって製造され得る。例えば経口の組成物は、錠剤またはゼラチンカプセルであってもよく、これらは、活性成分と、ａ) 希釈剤、例えば乳糖、ブドウ糖、ショ糖、マンニトール、ソルビトール、セルロース、および／またはグリシン；ｂ) 滑沢剤、例えばシリカ、タルク、ステアリン酸、そのマグネシウム塩もしくはカルシウム塩、および／またはポリエチレングリコール；錠剤においては、さらに、ｃ) 結合剤、例えばケイ酸マグネシウムアルミニウム、澱粉ペースト、ゼラチン、トラガカントゴム、メチルセルロース、ナトリウム カルボキシメチルセルロースおよび／またはポリビニルピロリドン；望ましいならばｄ) 崩壊剤、例えば澱粉、寒天、アルギン酸またはそのナトリウム塩、または、発泡性混合物；および／またはｅ) 吸収剤、着色料、風味剤および甘味料を含む。注射用組成物は、水性等張性溶液または懸濁液であってもよく、坐剤は、脂肪エマルジョンまたは懸濁液から製造され得る。該組成物は滅菌処理されてもよく、および／または、アジュバント、例えば保存料、安定化剤、湿潤剤、乳化剤、溶解促進剤、浸透圧調整用塩および／または緩衝剤を含み得る。さらに、それらは、他の治療に有益な物質を含み得る。経皮適用に適当な製剤は、有効量の本発明の化合物を担体と共に含む。担体は、宿主の皮膚を通過するのを助けるための吸収可能な薬理学的に許容される溶媒を含み得る。例えば、経皮デバイスは、裏打ち部材、所望により担体と共に該化合物を含むリザーバー、所望により該化合物を宿主の皮膚へ制御された予め定められた速度で長時間に亘って送達するための速度制御障壁、および、デバイスを皮膚へ固定するための手段を含む包帯の形態である。マトリックス経皮製剤もまた使用され得る。例えば皮膚および眼への局所適用に適当な製剤は、好ましくは当技術分野で周知の水溶液、軟膏、クリームまたはゲルである。これらは、溶解剤、安定化剤、浸透圧増加剤、緩衝剤および保存料を含み得る。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ヒト細胞のミクロRNAの標的mRNAを活性化するための、長さ8〜17連続核酸塩基単位を有する一本鎖オリゴヌクレオチドであって、該一本鎖オリゴヌクレオチドの核酸塩基単位の少なくとも30％がLocked Nucleic acid(固定核酸)(LNA)核酸塩基単位であり、該オリゴヌクレオチドが5を超える連続DNA単位の領域を含まず、該一本鎖オリゴヌクレオチドの3’末端から数えて最初の核酸塩基単位がヌクレオチド類似体、例えばLNA単位であり、該LNA単位がβDオキソ-LNAであり、該オリゴマーが少なくとも1のホスホロチオエート結合を含む、一本鎖オリゴヌクレオチド。
【請求項２】
全てのヌクレオシド間結合基がホスホロチオエートである請求項1に記載の一本鎖オリゴヌクレオチド。
【請求項３】
一本鎖オリゴヌクレオチドの3’末端から数えて最初の核酸塩基がLNA単位である請求項1または2に記載の一本鎖オリゴヌクレオチド。
【請求項４】
一本鎖オリゴヌクレオチドの3’末端から数えて第2核酸塩基がヌクレオチド類似体、例えばLNA単位である請求項1〜3のいずれかに記載の一本鎖オリゴヌクレオチド。
【請求項５】
少なくとも2の連続ヌクレオチド類似体単位、例えば少なくとも2の連続LNA単位の少なくとも1の領域を含む請求項1〜4のいずれかに記載の一本鎖オリゴヌクレオチド。
【請求項６】
7を超える連続ヌクレオチド類似体単位、例えばLNA単位の領域を含まない請求項5に記載の一本鎖オリゴヌクレオチド。
【請求項７】
5’末端にヌクレオチド類似体単位、例えばLNA単位を含む請求項1〜6のいずれかに記載の一本鎖オリゴヌクレオチド。
【請求項８】
該一本鎖オリゴヌクレオチドの核酸塩基単位の少なくとも50％がLocked Nucleic acid(固定核酸)(LNA)核酸塩基単位である請求項1〜7のいずれかに記載の一本鎖オリゴヌクレオチド。
【請求項９】
LNA以外の少なくとも1のさらなるヌクレオチド類似体単位を含む請求項1〜8のいずれかに記載の一本鎖オリゴヌクレオチド。
【請求項１０】
LNA以外の少なくとも1のさらなるヌクレオチド類似体単位がDNAヌクレオチド類似体であり、該DNAヌクレオチドの2'-H基が、-O-CH3、-O-CH2-CH2-O-CH3、-O-CH2-CH2-CH2-NH2、-O-CH2-CH2-CH2-OH、および-Fからなる群から選ばれる基で置換されている請求項1〜9のいずれかに記載の一本鎖オリゴヌクレオチド。
【請求項１１】
非LNAヌクレオチド類似体単位が2’-MOEヌクレオチド類似体である請求項9記載の一本鎖オリゴヌクレオチド。
【請求項１２】
非LNAヌクレオチド類似体単位または単位(複数)が独立して2’-OMe RNA単位および2’-フルオロDNA単位から選ばれる請求項9に記載の一本鎖オリゴヌクレオチド。
【請求項１３】
交互LNA(X)およびDNA(x)単位(Xx)または(xX)を含む請求項1〜12のいずれかに記載の一本鎖オリゴヌクレオチド。
【請求項１４】
独立してXxx、xXx、およびxxXからなる群から選ばれる交互LNA(X)およびDNA(x)単位のモチーフを含む請求項1〜13のいずれかに記載の一本鎖オリゴヌクレオチド。
【請求項１５】
少なくとも5のLNA単位を含む請求項1〜14のいずれかに記載の一本鎖オリゴヌクレオチド。
【請求項１６】
少なくとも7のLNA単位を含む請求項1〜15のいずれかに記載の一本鎖オリゴヌクレオチド。
【請求項１７】
少なくとも1の該LNA核酸塩基がシトシンまたはグアニンである請求項1〜16のいずれかに記載の一本鎖オリゴヌクレオチド。
【請求項１８】
少なくとも3の該LNA核酸塩基が独立してシトシンまたはグアニンから選ばれる請求項1〜17のいずれかに記載の一本鎖オリゴヌクレオチド。
【請求項１９】
長さ10〜16核酸塩基を有する請求項1〜18のいずれかに記載の一本鎖オリゴヌクレオチド。
【請求項２０】
長さ15または16核酸塩基を有する請求項19に記載の一本鎖オリゴヌクレオチド。
【請求項２１】
ミクロRNAの存在または過剰発現に関連する疾患または医学的障害を治療するための医薬を製造するための、ミクロRNA種配列と100％相補的である配列を含む長さ8〜17核酸塩基の一本鎖オリゴヌクレオチドの使用。
【請求項２２】
ミクロRNAシード配列と100％相補的である配列を含む長さ8〜17核酸塩基の一本鎖オリゴヌクレオチドを含む組成物を細胞に投与することを含む細胞または生物におけるミクロRNA標的の有効量を減少させるin vitro方法。
【請求項２３】
ミクロRNAシード配列と100％相補的である配列を含む長さ8〜17核酸塩基の一本鎖オリゴヌクレオチドを細胞に投与することを含む細胞のミクロRNAの標的mRNAのin vitro活性化方法。
【請求項２４】
請求項1〜18のいずれかに記載の一本鎖オリゴヌクレオチド、医薬的に許容される希釈剤、担体、またはアジュバントを含む医薬組成物。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
エチレンおよび／またはプロピレンを酸化剤と接触させることによってエチレンオキシドおよび／またはプロピレンオキシドを製造する方法であって、
（ｉ）反応をマイクロ反応系（μ−反応器）中で行い、および
（ｉｉ）使用する酸化剤はペルオキソ化合物である
ことを特徴とする方法。
【請求項２】
マイクロ反応系を担体にマウントすることを特徴とする、請求項１に記載の方法。
【請求項３】
マイクロ反応系は、少なくとも１つの反応物質用供給口と少なくとも１つの生成物用排出口を有することを特徴とする、請求項１または２に記載の方法。
【請求項４】
担体は珪素−ガラス複合材料であることを特徴とする、請求項１〜３のいずれかに記載の方法。
【請求項５】
適当な微細構造化技術によってマイクロ反応系を担体に適用することを特徴とする、請求項１〜４のいずれかに記載の方法。
【請求項６】
担体は、互いに平行して進行し、反応物質によって逐次的または同時に作動し得る１０〜１０００個のマイクロ反応系を有することを特徴とする、請求項１〜５のいずれかに記載の方法。
【請求項７】
マイクロ反応系は全て、同一形状または異なる形状を有することを特徴とする、請求項１〜６のいずれかに記載の方法。
【請求項８】
マイクロ反応系は少なくとも１つの次元において５０〜１５００μｍの範囲の寸法を有することを特徴とする、請求項１〜７のいずれかに記載の方法。
【請求項９】
マイクロ反応系は２０〜１８００μｍの深さを有することを特徴とする、請求項１〜８のいずれかに記載の方法。
【請求項１０】
マイクロ反応系は２０×２０〜１５００×１５００μｍ２の断面を有することを特徴とする、請求項１〜９のいずれかに記載の方法。
【請求項１１】
マイクロ反応系は１〜５００μｍの長さを有する溝であることを特徴とする、請求項１〜１０のいずれかに記載の方法。
【請求項１２】
マイクロ反応系は、一以上の混合領域、一以上の反応領域、一以上の混合および反応領域、一以上の加熱または冷却領域、またはこれらの任意の組み合わせを有することを特徴とする、請求項１〜１１のいずれかに記載の方法。
【請求項１３】
使用するペルオキソ化合物はオキソンまたは過酸化物であることを特徴とする、請求項１〜１２のいずれかに記載の方法。
【請求項１４】
１００〜３００℃の範囲の温度で酸化を行うことを特徴とする、請求項１〜１３のいずれかに記載の方法。
【請求項１５】
０．１〜１バールの範囲で反応を行うことを特徴とする、請求項１〜１４のいずれかに記載の方法。
【手続補正２】
【補正対象書類名】明細書
【補正対象項目名】００２１
【補正方法】変更
【補正の内容】
【００２１】
実施例が示すように、本発明の方法に従うと、先行技術に従って達成し得る場合より著しく高い選択率が達成される。とりわけ、完全酸化も事実上完全に抑制される。
本発明の好ましい態様は以下を包含する。
〔１〕  エチレンおよび／またはプロピレンを酸化剤と接触させることによってエチレンオキシドおよび／またはプロピレンオキシドを製造する方法であって、
（ｉ）反応をマイクロ反応系（μ−反応器）中で行い、および
（ｉｉ）使用する酸化剤はペルオキソ化合物である
ことを特徴とする方法。
〔２〕  マイクロ反応系を担体にマウントすることを特徴とする、〔１〕に記載の方法。
〔３〕  マイクロ反応系は、少なくとも１つの反応物質用供給口と少なくとも１つの生成物用排出口を有することを特徴とする、請求項１または２に記載の方法。
〔４〕  担体は珪素−ガラス複合材料であることを特徴とする、〔１〕〜〔３〕のいずれかに記載の方法。
〔５〕  適当な微細構造化技術によってマイクロ反応系を担体に適用することを特徴とする、〔１〕〜〔４〕のいずれかに記載の方法。
〔６〕  担体は、互いに平行して進行し、反応物質によって逐次的または同時に作動し得る１０〜１０００個のマイクロ反応系を有することを特徴とする、〔１〕〜〔５〕のいずれかに記載の方法。
〔７〕  マイクロ反応系は全て、同一形状または異なる形状を有することを特徴とする、〔１〕〜〔６〕のいずれかに記載の方法。
〔８〕  マイクロ反応系は少なくとも１つの次元において５０〜１５００μｍの範囲の寸法を有することを特徴とする、〔１〕〜〔７〕のいずれかに記載の方法。
〔９〕  マイクロ反応系は２０〜１８００μｍの深さを有することを特徴とする、〔１〕〜〔８〕のいずれかに記載の方法。
〔１０〕  マイクロ反応系は２０×２０〜１５００×１５００μｍ２の断面を有することを特徴とする、〔１〕〜〔９〕のいずれかに記載の方法。
〔１１〕  マイクロ反応系は１〜５００μｍの長さを有する溝であることを特徴とする、〔１〕〜〔１０〕のいずれかに記載の方法。
〔１２〕  マイクロ反応系は、一以上の混合領域、一以上の反応領域、一以上の混合および反応領域、一以上の加熱または冷却領域、またはこれらの任意の組み合わせを有することを特徴とする、〔１〕〜〔１１〕のいずれかに記載の方法。
〔１３〕  使用するペルオキソ化合物はオキソンまたは過酸化物であることを特徴とする、〔１〕〜〔１２〕のいずれかに記載の方法。
〔１４〕  １００〜３００℃の範囲の温度で酸化を行うことを特徴とする、〔１〕〜〔１３〕のいずれかに記載の方法。
〔１５〕  ０．１〜１バールの範囲で反応を行うことを特徴とする、〔１〕〜〔１４〕のいずれかに記載の方法。
〔１６〕  アルキレンと酸化剤の混合物の爆発限界内で反応を行うことを特徴とする、〔１〕〜〔１５〕のいずれかに記載の方法。
〔１７〕  更なる不活性ガスをアルキレンと酸化剤の混合物に添加することを特徴とする、〔１〕〜〔１６〕のいずれかに記載の方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
患者への、ジンクフィンガータンパク質または該ジンクフィンガータンパク質をコードする核酸の治療的用量の頻回投与により疾患を処置するための、ジンクフィンガータンパク質または該ジンクフィンガータンパク質をコードする核酸。
【請求項２】
頻回用量の投与レジメンにおいて患者へ投与され、その間隔が2日以上あいている、請求項1記載のジンクフィンガータンパク質または該ジンクフィンガータンパク質をコードする核酸。
【請求項３】
末梢動脈疾患を処置するための、請求項1記載のジンクフィンガータンパク質または該ジンクフィンガータンパク質をコードする核酸。
【請求項４】
前記頻回投与が、同一部位または十分に近接した部位に成され、それにより、投与されたジンクフィンガータンパク質または該ジンクフィンガータンパク質をコードする核酸が、異なる投与の間に少なくともいくつかの共通の細胞へ運搬される、請求項1または2記載のジンクフィンガータンパク質または該ジンクフィンガータンパク質をコードする核酸。
【請求項５】
筋肉内投与のために調製されている、請求項1〜3いずれか一項記載のジンクフィンガータンパク質または該ジンクフィンガータンパク質をコードする核酸。
【請求項６】
患者において、頻回投与の局所部位から拡散した部位における血管新生を刺激するための、請求項1記載のジンクフィンガータンパク質または該ジンクフィンガータンパク質をコードする核酸。
【請求項７】
前記頻回投与により、骨髄血管前駆細胞および/または樹状もしくは単球前駆細胞を増加させ、かつそれらを末梢血液循環へと移動させる、請求項1記載のジンクフィンガータンパク質または該ジンクフィンガータンパク質をコードする核酸。
【請求項８】
VEGF-Aの発現により骨髄血管前駆細胞および/または樹状もしくは単球前駆細胞を骨髄から末梢循環へ移動させ、これにより、患者において該細胞が、1つまたは複数の投与部位から拡散した部位において血管新生を刺激するように分布する、請求項1記載のジンクフィンガータンパク質または該ジンクフィンガータンパク質をコードする核酸。
【請求項９】
個々の用量が、それぞれ、1〜80 mgのジンクフィンガータンパク質または該ジンクフィンガータンパク質をコードする核酸を含み、患者が合計2〜10回用量を投与される、請求項1〜8いずれか一項記載のジンクフィンガータンパク質または該ジンクフィンガータンパク質をコードする核酸。
【請求項１０】
前記ジンクフィンガータンパク質が、VEGF-A遺伝子の発現を調節する核酸の標的部位へ結合する、請求項1〜9いずれか一項記載のジンクフィンガータンパク質または該ジンクフィンガータンパク質をコードする核酸。
【請求項１１】
前記ジンクフィンガータンパク質が、配列GGGGGTGACを含む標的部位へ結合し、
任意で、該ジンクフィンガータンパク質が、配列DRSNLTR、TSGHLTRおよびRSDHLSRを有する少なくとも3つのフィンガーを含み、該ジンクフィンガータンパク質が制御ドメインに融合されている、
請求項1〜10いずれか一項記載のジンクフィンガータンパク質または核酸。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
溶融物質が流れる方向の上流に、固体バッチ物質を導入する区間を含み、液中バーナー及び、前記液中バーナーから気泡が発生する部分でガラスの表面に当たる炎を供給している液面バーナーと呼ばれるオーバーヘッド型バーナーを含むことを特徴とするバッチ物質を溶融させる炉。
【請求項２】
液中バーナーが、溶融したガラス中に対流を生じさせている液中バーナーの障壁の一部を形成し、固体バッチ物質が炉の下流端へ進むのを防止していることを特徴とする請求項１に記載の炉。
【請求項３】
障壁の各液中バーナーに別の液面バーナーが付設されていることを特徴とする請求項１又は２に記載の炉。
【請求項４】
障壁内の液中バーナーの数が、少なくとも［Ｌ／２Ｈの８０％］の整数部分（ただし、Ｌは炉の幅であり、Ｈは炉中に溶融しているガラスの高さである。）に等しいことを特徴とする請求項２又は３に記載の炉。
【請求項５】
溶融物質の流路に沿って液中バーナーの複数の連続的な障壁を含むことを特徴とする請求項２〜４のいずれか１項に記載の炉。
【請求項６】
請求項１〜５のいずれか１項に記載の炉中で溶融を行なうことを特徴とするバッチ物質を溶融させる方法。
【請求項７】
溶融しているガラスの上にバッチ物質を導入してバッチ堆積物を形成し、液中バーナーを前記堆積物の末端に配置することを特徴とする請求項６に記載の方法。
【請求項８】
液面バーナーからのガスが、１５ｍ／ｓ以上の速度でガラスの表面に到達することを特徴とする請求項６又は７に記載の方法。
【請求項９】
液中バーナーの炎が１８００℃を超えていることを特徴とする請求項６〜８のいずれか１項に記載の方法。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
ａ）ポリクロロプレンに基づく水性分散液２０〜９９重量％、
ｂ）好ましくはオキシド、カルボキシドおよびシリケートの群からの、無機固体に基づく水性懸濁液１〜８０重量％、
ｃ）必要に応じて更に他のポリマー分散体、特にポリアクリレート、ポリアセテート、ポリウレタン、ポリ尿素、ゴムおよびエポキシドの群からのもの、ならびに
ｄ）必要に応じてポリマー分散体に通例の添加剤を更に含有する
混合物で浸漬または被覆された繊維生成物の、テキスタイル強化を備え突然の点荷重に耐性のセメント結合生成物を製造するための使用。
【請求項２】
混合物は１０重量％までの酸化亜鉛を含有することを特徴とする、請求項１に記載の使用。
【請求項３】
突然の点荷重に耐性であって、繊維生成物で強化されたセメント結合建築材料から得ることのできる物品であって、繊維生成物は、
ａ）ポリクロロプレンに基づく水性分散液２０〜９９重量％、
ｂ）好ましくはオキシド、カルボキシドおよびシリケートの群からの、無機固体に基づく水性懸濁液１〜８０重量％、
ｃ）必要に応じて更に他のポリマー分散体、特にポリアクリレート、ポリアセテート、ポリウレタン、ポリ尿素、ゴムおよびエポキシドの群からのもの、ならびに
ｄ）必要に応じてポリマー分散体に通例の添加剤を更に含有する
混合物で浸漬または被覆され、弾道耐性外観要素、金庫室壁、ブンカー壁、軍用車両用の装甲めっきおよび装甲めっき要素、銃タレット、落石および雪崩に対する被覆物および障壁物、破壊障壁物、耐衝撃要素、橋および橋要素、耐震安全性建造物または建造物部分、扉および扉要素、安全扉、シェルターおよびブンカー用扉、パイロン、屋根および屋根部分からなる群から選択される物品。
【手続補正２】
【補正対象書類名】明細書
【補正対象項目名】００７６
【補正方法】変更
【補正の内容】
【００７６】
この種の靱性破壊挙動は、高い動的応力が施される建築用材料の適性を示す認識された特徴である。建築産業では、これは特に例えば地震、車両衝突、爆撃または爆発圧力波の結果として生じる高い動的応力に関係する。
本発明の好ましい態様は、以下を包含する。
〔１〕  ａ）ポリクロロプレンに基づく水性分散液２０〜９９重量％、
ｂ）好ましくはオキシド、カルボキシドおよびシリケートの群からの、無機固体に基づく水性懸濁液１〜８０重量％、
ｃ）必要に応じて更に他のポリマー分散体、特にポリアクリレート、ポリアセテート、ポリウレタン、ポリ尿素、ゴムおよびエポキシドの群からのもの、ならびに
ｄ）必要に応じてポリマー分散体に通例の添加剤を更に含有する
混合物で浸漬または被覆された繊維生成物の、テキスタイル強化を備え突然の点荷重に耐性のセメント結合生成物を製造するための使用。
〔２〕  懸濁液（ｂ）中の固体は、好ましくはシラノール基を含有する、２０重量％を超える範囲の二酸化ケイ素からなることを特徴とする、〔１〕に記載の使用。
〔３〕  二酸化ケイ素の一次粒子サイズは１〜４００ｎｍ、好ましくは５〜１００ｎｍ、とりわけ好ましくは８〜５０ｎｍの間であることを特徴とする、〔２〕に記載の使用。
〔４〕  ポリクロロプレンは重合されたモノマー基の０．１〜１．５％中に化学的に結合されたヒドロキシド基を含有することを特徴とする、〔１〕〜〔３〕のいずれかに記載の使用。
〔５〕  混合物は１０重量％までの酸化亜鉛を含有することを特徴とする、〔１〕〜〔４〕のいずれかに記載の使用。
〔６〕  突然の点荷重に耐性の生成物は弾道耐性外観要素を含んでなることを特徴とする、〔１〕〜〔５〕のいずれかに記載の使用。
〔７〕  突然の点荷重に耐性の生成物は落石および雪崩に対する被覆物および障壁物を含んでなることを特徴とする、〔１〕〜〔５〕のいずれかに記載の使用。
〔８〕  突然の点荷重に耐性の生成物は破壊障壁物を含んでなることを特徴とする、〔１〕〜〔５〕のいずれかに記載の使用。
〔９〕  突然の点荷重に耐性の生成物は耐衝撃要素を含んでなることを特徴とする、〔１〕〜〔５〕のいずれかに記載の使用。
〔１０〕  突然の点荷重に耐性の生成物は橋および橋要素を含んでなることを特徴とする、〔１〕〜〔５〕のいずれかに記載の使用。
〔１１〕  突然の点荷重に耐性の生成物は耐震安全性の建造物または建造物部分を含んでなることを特徴とする、〔１〕〜〔５〕のいずれかに記載の使用。
〔１２〕  突然の点荷重に耐性の生成物は扉、特に安全扉を含んでなることを特徴とする、〔１〕〜〔５〕のいずれかに記載の使用。
〔１３〕  突然の点荷重に耐性の生成物はパイロンを含んでなることを特徴とする、〔１〕〜〔５〕のいずれかに記載の使用。
〔１４〕  突然の点荷重に耐性の生成物は屋根または屋根部分を含んでなることを特徴とする、〔１〕〜〔５〕のいずれかに記載の使用。
〔１５〕  突然の点荷重に耐性の生成物は金庫室を含んでなることを特徴とする、〔１〕〜〔５〕のいずれかに記載の使用。
〔１６〕  突然の点荷重に耐性の生成物は軍用車両用の装甲めっき要素を含んでなることを特徴とする、〔１〕〜〔５〕のいずれかに記載の使用。
〔１７〕  突然の点荷重に耐性であって、繊維生成物で強化されたセメント結合建築材料から得ることのできる物品であって、繊維生成物は、
ａ）ポリクロロプレンに基づく水性分散液２０〜９９重量％、
ｂ）好ましくはオキシド、カルボキシドおよびシリケートの群からの、無機固体に基づく水性懸濁液１〜８０重量％、
ｃ）必要に応じて更に他のポリマー分散体、特にポリアクリレート、ポリアセテート、ポリウレタン、ポリ尿素、ゴムおよびエポキシドの群からのもの、ならびに
ｄ）必要に応じてポリマー分散体に通例の添加剤を更に含有する
混合物で浸漬または被覆され、弾道耐性外観要素、金庫室壁、ブンカー壁、軍用車両用の装甲めっきおよび装甲めっき要素、銃タレット、落石および雪崩に対する被覆物および障壁物、破壊障壁物、耐衝撃要素、橋および橋要素、耐震安全性建造物または建造物部分、扉および扉要素、安全扉、シェルターおよびブンカー用扉、パイロン、屋根および屋根部分からなる群から選択される物品。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
（１）脱メチル化剤および／またはヒストン脱アセチル化酵素（ＨＤＡＣ）阻害剤の少なくとも１つ、および（２）ソマトスタチン類似体および／またはドーパミン・アゴニストの少なくとも１つを含む、薬学的組成物。
【請求項２】
少なくとも１つの脱メチル化剤、少なくとも１つのＨＤＡＣ阻害剤、およびソマトスタチン類似体またはドーパミン・アゴニストの少なくとも１つを含む請求項１記載の薬学的組成物。
【請求項３】
少なくとも１つの脱メチル化剤、少なくとも１つのＨＤＡＣ阻害剤、少なくとも１つのソマトスタチン類似体および少なくとも１つのドーパミン・アゴニストを含む、請求項１または２記載の薬学的組成物。
【請求項４】
少なくとも１つの脱メチル化剤が、５−アザ−２’−デオキシシチジン（ＤＡＣ、デシタビン）、５−アザシチジン（５−アザＣ）、アラビノシル−５−アザシトシン（ファザラビン）およびジヒドロ−５−アザシチジン（ＤＨＡＣ）からなる群より選択される、請求項１〜３のいずれか記載の薬学的組成物。
【請求項５】
少なくとも１つのＨＤＡＣ阻害剤が、ヒドロキサム酸、カルボン酸、ベンズアミド、エポキシド、ＦＫ２２８、アピシジンＡ、ＢおよびＣからなる群より選択される、請求項１〜３のいずれか記載の薬学的組成物。
【請求項６】
ヒドロキサム酸がトリコスタチンＡ、ＳＡＨＡ、ＮＶＰ−ＬＡＱ−８２４２５およびＰＸＤ−１０１から選択される請求項５記載の薬学的組成物。
【請求項７】
カルボン酸がブタン酸、バルプロ酸および４−フェノキシブタン酸から選択される請求項５記載の薬学的組成物。
【請求項８】
ベンズアミドがＮ−アセチルジナリン（ａｃｅｔｙｌｄｉｎａｌｉｎｅ）およびＭＳ−２７５から選択される請求項５記載の薬学的組成物。
【請求項９】
エポキシドがデピューディシン（ｄｅｐｅｕｄｉｃｉｎ）およびトラポキシンＡから選択される請求項５記載の薬学的組成物。
【請求項１０】
少なくとも１つのソマトスタチン類似体が、ＢＩＭ−２３０５６、ＢＩＭ−２３２０６、ＢＩＭ−２３２６８、ＢＩＭ−２３９２６、ＢＩＭ−２３０５２、ＢＩＭ−２３２４４、ＢＩＭ−２３Ａ７５８、ＢＩＭ−２３Ａ７６０、ＢＩＭ−２３２Ａ７６１およびＢＩＭ−２３Ａ７６５からなる群より選択される、請求項１〜９のいずれか記載の薬学的組成物。
【請求項１１】
少なくとも１つのソマトスタチン類似体が、ソマトスタチン−１４、ソマトスタチン−２８、コルチスタチン−１４、コルチスタチン−１７、コルチスタチン−２９、オクトレオチド、バプレオチドおよびランレオチドからなる群より選択される、請求項１〜９のいずれか記載の薬学的組成物。
【請求項１２】
少なくとも１つのソマトスタチン類似体が、ＳＯＭ−３２０およびＫＥ−１０８からなる群より選択される、請求項１〜９のいずれか記載の薬学的組成物。
【請求項１３】
少なくとも１つのドーパミン・アゴニストが、アマンタジン、ブロモクリプチン、カベルゴリン、キナゴリド、リスリド、ペルゴリド、ロピニロール、プラミプレキソール（ｐｒａｍｉｐｒｅｘｏｌｅ）およびラサギリンからなる群より選択される、請求項１〜１２のいずれか記載の薬学的組成物。
【請求項１４】
少なくとも１つのドーパミン・アゴニストが、ＢＩＭ２３Ａ３８７、ＢＩＭ−２３Ａ７５８、ＢＩＭ−２３Ａ７６０、ＢＩＭ−２３２Ａ７６１およびＢＩＭ−２３Ａ７６５からなる群より選択される、請求項１〜１２のいずれか記載の薬学的組成物。
【請求項１５】
ソマトスタチンおよび／またはドーパミン受容体を表面上に発現する腫瘍の治療のため、あるいは慢性免疫疾患の治療のために用いられる、請求項１〜１４のいずれか記載の薬学的組成物。
【請求項１６】
前記腫瘍が、神経内分泌腫瘍、腺癌、脳腫瘍、血液学的悪性病変および他の悪性病変からなる群から選択される請求項１５記載の薬学的組成物。
【請求項１７】
神経内分泌腫瘍が、下垂体腺腫、膵島腫瘍、インスリノーマ、カルチノイド、褐色細胞腫、傍神経節腫（ｐａｒａｇａｇｌｉｏｍａ）および甲状腺髄様癌からなる群から選択される請求項１６記載の薬学的組成物。
【請求項１８】
腺癌が、乳房、腎臓、結腸、膵臓、前立腺および卵巣腫瘍からなる群から選択される請求項１６記載の薬学的組成物。
【請求項１９】
脳腫瘍が、髄膜腫である請求項１６記載の薬学的組成物。
【請求項２０】
血液学的悪性病変が、ホジキンおよび非ホジキンリンパ腫ならびに急性および慢性白血病からなる群から選択される請求項１６記載の薬学的組成物。
【請求項２１】
他の悪性病変が、肝細胞癌である請求項１６記載の薬学的組成物。
【請求項２２】
慢性免疫疾患が、サルコイドーシスおよび関節リウマチからなる群から選択される請求項１５記載の薬学的組成物。
【請求項２３】
腫瘍または慢性免疫疾患の治療用の薬剤の製造のための、（１）脱メチル化剤および／またはヒストン脱アセチル化酵素（ＨＤＡＣ）阻害剤の少なくとも１つ、および（２）ソマトスタチン類似体および／またはドーパミン・アゴニストの少なくとも１つを含む、薬学的組成物。
【請求項２４】
腫瘍または慢性免疫疾患の治療用の薬剤の製造のための、少なくとも１つの脱メチル化剤、少なくとも１つのＨＤＡＣ阻害剤、およびソマトスタチン類似体またはドーパミン・アゴニストの少なくとも１つを含む、請求項２３記載の薬学的組成物。